(57)【要約】【課題】  グループ単位の認証においてもセキュリティを確保できる電子ショッピングシステムおよび方法を提供する。【解決手段】  複数のユーザ端末をグルーピングして共通の表示画面を表示させ、ネットショッピングサイトとの間を仲介するプロキシサーバと、ネットショッピングサイトへのログイン時および決済時にグループのメンバを個別に認証する認証サーバとを有する。認証サーバは、さらに、グループのメンバを個別に認証し、正常に認証されたメンバに所定の認証完了情報をそれぞれ付与する。プロキシサーバはグループの各メンバの認証完了情報を用いて、ネットショッピングサイトとの間を仲介し、ネットショッピングサーバにおいて各メンバを識別可能する。【選択図】      図１
2006171829.tif 000002
【特許請求の範囲】
【請求項１】
グループを構成する複数のユーザ端末を通してネットショッピングを行う電子ショッピングシステムにおいて、
前記複数のユーザ端末をグルーピングして共通の表示画面を表示させ、前記グループと当該グループが選択したネットショッピングサイトとの間を仲介するプロキシサーバと、
前記ネットショッピングサイトへのログイン時および決済時に、前記グループのメンバを個別に認証する認証サーバと、
を有することを特徴とする電子ショッピングシステム。
【請求項２】
前記プロキシサーバは、前記複数のユーザ端末へはそれぞれ通信のためのセッションを確立し、閲覧しているネットショッピングサイトへは１つのセッションを確立し、複数のメンバを１つのグループとして、ネットショッピングサイト間のセッションの変更をグループ単位で一括に行うことを特徴とする請求項１に記載の電子ショッピングシステム。
【請求項３】
前記認証サーバは、決済時に前記グループのメンバを個別に認証するための決済画面を表示させ、前記グループの各メンバの負担金額の割合と承認のための個人認証とを行うことを特徴とする請求項１または２に記載の電子ショッピングシステム。
【請求項４】
グループを構成する複数のユーザ端末を通してネットショッピングを行う電子ショッピングシステムにおいて、
前記グループのメンバを個別に認証し、正常に認証されたメンバに所定の認証完了情報をそれぞれ付与する認証サーバと、
前記グループの各ユーザ端末からそれぞれの認証完了情報を受信して保持するとともに、前記複数のユーザ端末をグルーピングし、前記グループと当該グループが選択したネットショッピングサイトとの間を各メンバの認証完了情報を用いて仲介するプロキシサーバと、
を有することを特徴とする電子ショッピングシステム。
【請求項５】
前記プロキシサーバおよび前記ネットショッピングサイトは前記認証完了情報によって各メンバを識別することを特徴とする請求項４に記載の電子ショッピングシステム。
【請求項６】
前記ネットショッピングサイトは、ネットショッピングサーバと決済サーバとからなり、前記決済サーバは、決済時に、各メンバの個人認証を行うことを特徴とする請求項４または５に記載の電子ショッピングシステム。
【請求項７】
グループを構成する複数のユーザ端末を通してネットショッピングを行う方法において、
第１ユーザ端末がショッピングサーバにログインすると、当該ショッピングサーバの要求に従って、認証決済サーバは前記第１ユーザ端末を認証し、正常に認証されると当該第１ユーザ端末に所定の認証完了情報を付与し、
グルーピングプロキシサーバは、前記第１ユーザ端末からの要求に応じてグループを作成し、
前記グループに参加を希望する各メンバは前記認証サーバにより正常に認証されたことを示す所定の認証完了情報をそれぞれ前記グルーピングプロキシサーバへ送信し、
前記グルーピングプロキシサーバは、前記グループの指定に応じて、前記ショッピングサーバへ移動すると、前記グループの各メンバの認証完了情報を当該ショッピングサーバへ送信すると共に、各メンバのユーザ端末に当該ショッピングサーバの表示画面を共通に表示させ、
購入商品が決定されると、前記グルーピングプロキシサーバは、前記認証決済サーバへ移動し、各メンバのユーザ端末に前記認証決済サーバの決済画面を共通に表示させ、
前記認証決済サーバは、決済時に、各メンバの個人認証および購入確認を行う、
ことを特徴とする電子ショッピング方法。
【請求項８】
グループを構成する複数のユーザ端末を通してネットショッピングを行う際のグループ認証システムにおいて、
前記グループのメンバを個別に認証し、正常に認証されたメンバに所定の認証完了情報をそれぞれ付与する認証サーバと、
前記グループの各ユーザ端末からそれぞれ受信した認証完了情報を用いて各メンバを識別し、かつ、前記グループが選択したネットショッピングサイトへ前記各メンバの認証完了情報を送信して各メンバの識別を可能にするプロキシサーバと、
を有することを特徴とするグループ認証システム。
【発明の詳細な説明】
【技術分野】
【０００１】
本発明は電子ショッピングシステムに係り、特に複数のメンバでグループを構成してネットショッピングを行うシステムおよび方法に関する。
【背景技術】
【０００２】
Ｗｅｂアクセスのサービスのひとつであるネットショッピングでは、いわゆるグループウエアの仕組みなどを利用して、複数ユーザが同じサイトを見てネットショッピングを楽しむことを可能にするシステムが種々提案されている。
【０００３】
たとえば、特開２００３−３６３８１号公報（特許文献１）には、グループにグループページが割り当てられ、その上でどの商品を購入するかを複数のメンバによる多数決で決定することができる商品購入支援装置が開示されている。また、特開２００３−１０８５３２号公報（特許文献２）には、ユーザごとに予め利用するＷｅｂサイトに関する情報を記憶しておき、ユーザに代わって当該Ｗｅｂサイトへのログインを実行する情報提供装置が開示されている。
【０００４】
【特許文献１】特開２００３−３６３８１号公報
【特許文献２】特開２００３−１０８５３２号公報
【発明の開示】
【発明が解決しようとする課題】
【０００５】
上記従来のシステムでは、ユーザログインや決済時の認証をグループ単位で一括して行う場合、認証情報を途中のプロキシに渡してログイン等を代行してもらうことになる。
【０００６】
しかしながら、ユーザとしては決済などに必要な認証情報は必要以上には渡したくない。本来なら、認証サーバだけに暗号化した認証情報が渡ればよいことなので、途中のプロキシがその認証情報を持ってしまうことは、情報流通経路が増え、プロキシを設置している事業者等にも情報を渡すことになってしまい、セキュリティ的には信頼性が落ちる原因となる。
【０００７】
また、認証を代行するプロキシから認証サーバまでを考えた場合、認証サーバからはグループの代表者、すなわち１セッション分しか見えない。したがって、グループ内の個別メンバが正規の会員であるかどうかを判別することはできない。もしグループ内に不正に生成された架空メンバが存在してもそれを認識することができない。
【０００８】
そこで、本発明の目的は、グループ単位の認証においてもセキュリティを確保できる電子ショッピングシステムおよびグループ認証システムを提供することにある。
【課題を解決するための手段】
【０００９】
本発明の第１の側面によれば、グループを構成する複数のユーザ端末を通してネットショッピングを行う電子ショッピングシステムにおいて、前記複数のユーザ端末をグルーピングして共通の表示画面を表示させ、前記グループと当該グループが選択したネットショッピングサイトとの間を仲介するプロキシサーバと、前記ネットショッピングサイトへのログイン時および決済時に、前記グループのメンバを個別に認証する認証サーバと、を有することを特徴とする。
【００１０】
前記プロキシサーバは、前記複数のユーザ端末へはそれぞれ通信のためのセッションを確立し、閲覧しているネットショッピングサイトへは１つのセッションを確立し、複数のメンバを１つのグループとして、ネットショッピングサイト間のセッションの変更をグループ単位で一括に行うことを特徴とする。
【００１１】
さらに、前記認証サーバは、決済時に前記グループのメンバを個別に認証するための決済画面を表示させ、前記グループの各メンバの負担金額の割合と承認のための個人認証とを行うことが望ましい。
【００１２】
本発明の第２の側面によれば、グループのメンバを個別に認証し、正常に認証されたメンバに所定の認証完了情報をそれぞれ付与する認証サーバと、前記グループの各ユーザ端末からそれぞれの認証完了情報を受信して保持するとともに、前記複数のユーザ端末をグルーピングし、前記グループと当該グループが選択したネットショッピングサイトとの間を各メンバの認証完了情報を用いて仲介するプロキシサーバと、を有することを特徴とする。
【００１３】
まず、本発明によれば、複数メンバがグループを形成するための“場”を提供し、たとえばＷｅｂアクセスにおいて、複数のメンバを１つのグループとしＷｅｂサイト間のセッションの変更をグループ単位で一括に行うためのプロキシサーバを設けている。その際、認証は、認証サーバとユーザ端末とで個別に行い、正常に認証が完了したことを示す印として認証完了情報（実施例では、認証チケット）を使用して各メンバの識別を行う。具体的には、認証が必要になるのは、ネットショッピングサイトへのログイン時と決済時である。
【００１４】
また、本発明による電子ショッピング方法は、第１ユーザ端末がショッピングサーバにログインすると、当該ショッピングサーバの要求に従って、認証決済サーバは前記第１ユーザ端末を認証し、正常に認証されると当該第１ユーザ端末に所定の認証完了情報を付与し、グルーピングプロキシサーバは、前記第１ユーザ端末からの要求に応じてグループを作成し、前記グループに参加を希望する各メンバは前記認証サーバにより正常に認証されたことを示す所定の認証完了情報をそれぞれ前記グルーピングプロキシサーバへ送信し、前記グルーピングプロキシサーバは、前記グループの指定に応じて、前記ショッピングサーバへ移動すると、前記グループの各メンバの認証完了情報を当該ショッピングサーバへ送信すると共に、各メンバのユーザ端末に当該ショッピングサーバの表示画面を共通に表示させ、購入商品が決定されると、前記グルーピングプロキシサーバは、前記認証決済サーバへ移動し、各メンバのユーザ端末に前記認証決済サーバの決済画面を共通に表示させ、前記認証決済サーバは、決済時に、各メンバの個人認証および購入確認を行う、ことを特徴とする。
【００１５】
さらに、本発明によるグループ認証システムは、前記グループのメンバを個別に認証し、正常に認証されたメンバに所定の認証完了情報をそれぞれ付与する認証サーバと、前記グループの各ユーザ端末からそれぞれ受信した認証完了情報を用いて各メンバを識別し、かつ、前記グループが選択したネットショッピングサイトへ前記各メンバの認証完了情報を送信して各メンバの識別を可能にするプロキシサーバと、を有することを特徴とする。
【発明の効果】
【００１６】
以上述べたように、本発明の第１の側面によれば、認証は個別であっても、プロキシサーバのグルーピング機能により、グループメンバで単にネットショッピングサイト間を移動(Ｗｅｂブラウザを更新)するのは共通の表示が可能であり、各メンバの重複した操作を省くことができる。具体的には、このプロキシサーバは、複数ユーザの操作や文字チャット、ビデオチャット画像を一括して統合し、Ｗｅｂサイト変更に伴うナビゲーションとしての機能も持つことができる。すなわち、個々のユーザ端末からプロキシサーバまでは、それぞれ通信のためのセッションがあり、プロキシサーバから閲覧しているＷｅｂサイトへは、１つのセッションが確立されていることになる。また、グループを形成する際にユーザが加入しているログインアカウントも登録しておけば、新しいサイトに移動した際も再ログインの手間が必要ない。
【００１７】
さらに、本発明の第２の側面によれば、グループの各メンバは個別に認証完了情報を付与され、それらの認証完了情報を用いてプロキシサーバおよび選択されたショッピングサーバは当該グループのメンバを識別することができる。認証完了情報は、メンバの認証情報自体ではないので、ユーザの個人情報が流通することはない。このように認証完了情報を用いることで、グループ内に不正に生成された架空メンバが存在しても、当該架空メンバを決済から除外することができ、グループ単位の認証においてもセキュリティを確保することができる。特に、決済時に各メンバの個人認証を行うことで、更にセキュリティを向上させることができる。すなわち、グループでのネットショッピングであっても、決済時には認証サーバ側(サイト運営事業者)からは個別のユーザごとに認識できるので不正ユーザによる架空売買の心配がいらない。
【発明を実施するための最良の形態】
【００１８】
（システム構成）
図１は本発明の一実施形態による電子ショッピングシステムの全体的構成を示すブロック図である。ここでは、複数のユーザ端末Ｔ、複数のサイト運営事業者システム１０、２０、および、サイト仲介業者のグルーピングプロキシサーバ３０がインターネット４０を介して通信可能に接続されており、複数メンバの端末Ｔ1、Ｔ2およびＴ3で１つのグループを形成してネットショッピングを行うものとする。本発明による電子ショッピングシステムでは、グルーピングプロキシサーバ３０がグループメンバのネットショッピングのための「場」を提供する。
【００１９】
サイト運営事業者システムは、基本的にネットショッピングサーバと決済サーバとからなる。ここでは、サイト運営事業者１０はネットショッピングサーバ１１および決済サーバ１２を有し、サイト運営事業者２０はネットショッピングサーバ２１および決済サーバ２２を有するものとする。
【００２０】
図２（Ａ）〜（Ｄ）は本実施形態による電子ショッピングシステムの各構成要素が備える基本的機能を示す模式図、図３は決済サーバが管理するユーザ情報データベースの内容の一例を示す模式図である。各構成要素は、実際には、インターネット４０に接続するための通信手段や全体的な動作制御を行う制御部などが装備されているが、図２では省略されている。
【００２１】
図２（Ａ）に示すユーザ端末Ｔは、典型的にはインターネットにアクセス可能なパーソナルコンピュータであり、Ｗｅｂアクセス、Ｗｅｂブラウザ表示が可能な基本的機能の他に、後述するように、決済時に必要なパスワードなどの情報の暗号化および決済サーバからの情報の復号化を行う暗号化／復号化機能を有する。また、当該ユーザ端末を操作するメンバはＩＤやパスワード等により、後述するグループ形成、グループ参加／離脱といった操作権限および決済の承認権限を有するものとする。なお、ビデオチャット機能を利用する場合には、ユーザ端末Ｔに撮像カメラ、マイクロフォンおよびスピーカを搭載しておく。
【００２２】
図２（Ｂ）に示すグルーピングプロキシサーバ３０は、ユーザがグループを形成するための“場”を提供する機能を有する。具体的には、ユーザがこのサーバ３０にアクセスし、グループを形成したり、既に形成されて待ち合わせしているグループに参加したりすることができ、さらに、複数ユーザから成るグループのセッションを統合して目的サイトを表示し、表示された画面をグルーピングプロキシで終端し、そこからそれぞれのグループメンバに表示する機能を有する。このサーバ３０のプロキシ機能により、１回のＷｅｂサイト移動でグループユーザ全員のＷｅｂブラウザ表示が変更される。さらに、チャットやＶｏＩＰ音声、ビデオチャットサーバとしての機能があるので、ＩＲＣ、ＲＴＰ、ＲＴＳＰといったリアルタイムプロトコルを終端する。
【００２３】
また、複数ユーザからのＷｅｂブラウザ上のカーソル操作を結合し、グループメンバに共通のＷｅｂブラウザが見えるようにＷｅｂブラウザを統合する機能を有する。グループが訪れているネットショッピングサイト上で平等に買い物を行うために、ブラウザ上のカーソルもグループメンバ全員が動かすことができる。
【００２４】
図２（Ｃ）に示すネットショッピングサーバ１１、２１は、ネットショッピング、ショッピングモール、Ｗｅｂオークションサイトなど様々なジャンルの商品をネット上で扱うデータベースサーバである。
【００２５】
図２（Ｄ）に示す決済サーバ１２、２２は、グループがネット上で買い物した商品を実際に購入するための決済を行うサーバである。決済サーバは、図３に示す会員ユーザのデータベースを用いて、ユーザのクレジット番号や口座番号、パスワードといった決済認証に必要な情報を管理する。決済認証にあたって、ユーザが暗号化したパスワードの復号化や情報の暗号化機能も有する。また、グループユーザの状態管理も決済サーバで行われる。
【００２６】
図３には、一例として、Ｔａｒｏ、ＪｉｒｏおよびＨａｎａｋｏの３人のメンバと、Ｓａｂｕｒｏという一人のゲストとからなるＸ−ｔｅａｍというグループが形成された状態が示されている。
【００２７】
以下、本発明による電子ショッピングシステムの実施例を図面を参照しながら詳細に説明する。
【００２８】
１．第１実施例
図４は、本発明の第１実施例による電子ショッピングシステムの待ち合わせサイトでの各端末上の表示例を示す図である。任意のユーザ１人は、まずグループを形成するために待ち合わせサイトにアクセスする。待ち合わせサイトのＵＲＬは一般的なネット検索でひっかかる、一般ユーザ向けに公開されたサイトである。
【００２９】
（グループ形成）
先ず、新規にグループを形成する前に、図４における「はじめて利用の方」のボタン１０１によりネットショッピングサイトで使用しているログインアカウントの登録を行う。これによってグループ化した後にネットショッピングサイトのセッション切り替えをスムーズに行うことができる。利用するネットショッピングサイトが複数あり、ログインアカウントが複数ある場合にはそれらすべてを登録しておく。このアカウント登録については、セッション切り替えシステムを利用予定である複数ユーザ全員が事前に行っておく。なお、一度登録しておけば２度目以降は登録する必要はない。
【００３０】
ログインアカウント登録が終わったら、グループを作成する（１０２）。グループ作成はグループを形成する予定の複数ユーザのうちの一人が行えばよい。まず、グループ形成を行うユーザは、自分のチャット等におけるハンドルネームやグループ名を決めて入力する。ここでは、ハンドル名「Ｔａｒｏ」、グループ名「Ｘ−ｔｅａｍ」とする。
【００３１】
つづいて、グループに加わるメンバを招待するか（１０３）、この待ち合わせサイトでメンバが入室するのを待つか（１０４）を選択する。メンバを招待するなら、メンバのメールアドレスを入力し、招待メール送信ボタン１０５をクリックすることで招待メールが送信される。招待メールの内容は、たとえば「Ｊｉｒｏさんをグループに招待しています。“ｈｔｔｐ：／／ｗｗｗ．ｇｒｏｕｐｐｒｏｘｙ．ｃｏ．ｊｐ”にいらしてください」などと自動的に記載されるようにする。この招待する手段としては、メールアドレスに限らずWindows（登録商標） MessengerのようなソフトでメッセージをPushする、という方法でもよい。
【００３２】
招待メールを送信したメンバあるいは関係するメンバの入室が完了したら、「入室完了」ボタン１０６を押す。これによって、入室したメンバ全員の画面がＷｅｂブラウザに表される。
【００３３】
図５はグループ作成後に各端末に表示される画面の一例を示す図である。入室したメンバの端末Ｔのモニタには、Ｗｅｂブラウザ上で同一の画面が表示される。Ｗｅｂブラウザ上の画面の半分には、インターネット上のサービスサイト、すなわちネットショッピングなど目的のサイト２０１（ここでは検索サイト）が表示され、残り半分にはグループ内の文字チャット枠２０２およびビデオチャット枠２０３が設けられる。グルーピングプロキシサーバ３０に音声ミキシングの機能を設けておけば、グループメンバの音声を聞くことも可能である。
【００３４】
また、途中でグループから離脱したい場合は、離脱したいユーザのみが知るパスワード入力後「セッション離脱」ボタン２０４により離脱が可能である。もしグループメンバ全員が離脱した場合、最後の１人が離脱した時点でそのグループＩＤは消滅する。グループの消滅については、グループメンバの合意により一回で行ってもよい。「メンバの合意」については、全員それぞれパスワードを入力してもらう、などを行うことで１人の勝手な行動で不正にグループを消滅される心配がなくなる。
【００３５】
（購入商品の決定）
続いて、画面半分にある検索サイト２０１で目的のサイトを発見しクリックする。ここにおける操作性は従来のＷｅｂブラウザからの検索と同じ要領である。また、ブラウザ上のカーソルは誰でも操作できる権限がある。グループを形成したユーザに関係なく、グループ結成後はどのグループメンバも操作性や権限に差別はない。選択された目的サイトに移動すると、グループメンバ全員の端末のモニタには、目的サイトの画面が表示される。
【００３６】
図６は目的サイトにログイン後に各端末に表示される画面の一例を示す図である。ここでは、Ｅ−ショッピングサイトにログインし、ビデオチャットや文字チャットを通してコミュニケーションを取りながらコンピュータを購入する例が表示されている。こういった操作を繰り返して、チャットやおしゃべりをしながらネットショッピングを楽しむことができる。ネットショッピングサイトで目的となる商品を仮想のカートに入れた後は、決済手続きに進む。
【００３７】
（決済）
図７は決済サイトに移動した後に各端末に表示される画面の一例を示す図、図８はユーザ認証後に各端末に表示される画面の一例を示す図である。決済においては、合計支払い金額に対して、グループメンバの誰か一人が全額負担とする、とか、複数のメンバ、たとえば３人いるなら、４割３割３割、といったように割合を決めて決済することができる。その際、各ユーザが承認のパスワードを入力することを条件とする。カーソル操作権限を全員が持っているのであるから、１人が勝手に他人の割合を決めて決済されてしまう事態を回避するためである。
【００３８】
なお、メンバの中にそのネットショッピングサイトにユーザ情報やクレジットカード番号、住所などの自己情報を登録していないメンバがいれば、決済画面上に「決済情報がありません」と表示され、そのメンバが負担をすることはできない。図３に示す例では、ゲストのＳａｂｕｒｏには決済情報がない。
【００３９】
これらの操作を全グループメンバが完了し、合計割合が１０割になったことを確認してから決定ボタン３０１を押すことで決済が完了となり、図８に示す決済画面となる。実際の料金引き落としは、決済サーバが持つユーザ情報データベースのクレジットカード情報をもとに行う。この例では、購入商品の総額をＴａｒｏが４０％、Ｊｉｒｏが３０％、Ｈａｎａｋｏが３０％それぞれ負担することで了承されているから、それぞれの負担額が図３に示すユーザ情報データベースに登録されているクレジットカードを通して引き落とされる。
【００４０】
（効果）
第１実施例による電子ショッピングシステムでは、ネットショッピングを１人ではなくグループメンバでチャットしながら行うことができる。また、異なるショッピングサイトへ移動する際にも、各ユーザが別々にログアウトして次のサイトを各々が指定し再度ログインするといった操作が不要となり、ユーザの煩雑な操作や、個々のユーザが別々に操作する手間を省くことができる。
【００４１】
また、ネット決済時にグループを形成している複数ユーザの割り勘といった柔軟な課金(口座振替)が可能になる効果がある。その際、グループメンバそれぞれのパスワード入力、といった承認操作が必要であるから、ネット決済時にＷｅｂブラウザのカーソルが全員操作可能であっても不正やいたずらによる誤った決済、課金を有効に防ぐことができる。
【００４２】
２．第２実施例
本発明の第２実施例による電子ショッピングシステムは、認証チケットを用いてメンバを認証するものであり、システム構成としては図１と同じである。以下、説明を簡略にするために、２台のユーザ端末ＡおよびＢと、ネットショッピングサーバおよび決済（認証）サーバをそれぞれ１台とした場合を想定して詳細に説明する。
【００４３】
（認証チケット配布）
図９は、本発明の第２実施例による電子ショッピングシステムにおけるショッピングサイトへのログイン完了までのシーケンス図である。まず、ユーザ端末Ａは、利用しようとしているネットショッピングサイトにログインするためにショッピングサイト運営側の認証サーバと暗号化セッションを確立し、ユーザ情報を入力してユーザ認証を受ける。認証が正常に完了すると、認証（決済）サーバは、正常に認証されたことを証明する認証チケットＡを端末Ａへ送信する（ステップＳ４０１）。
【００４４】
認証チケットＡを取得すると、端末Ａのユーザは、上述した第１実施例と同じ手順でグループを作成する。その際、グルーピングプロキシサーバ３０は端末Ａのユーザに対して認証チケットを要求し、ユーザは、取得した認証チケットＡをグルーピングプロキシサーバ３０へ送信する（ステップＳ４０２）。
【００４５】
ここで、端末Ｂのユーザが当該グループに参加する場合には、端末Ａの場合（ステップＳ４０１）と同様に、認証（決済）サーバから認証チケットＢを取得し、グループにログインする際に、端末Ｂは、取得した認証チケットＢをグルーピングプロキシサーバ３０へ送信する（ステップＳ４０３）。端末Ａのユーザは、入室メンバが確定すると、グループ化完了通知をグルーピングプロキシサーバ３０へ送信してグループ化を完了する（ステップＳ４０４）。
【００４６】
こうして、グルーピングプロキシサーバ３０は、グループメンバ各々の認証チケットＡおよびＢを保持する。グルーピングプロキシサーバ３０がグループメンバの認証チケットを保持しておくことで、スムーズなサイト間ログインを行うことができ、さらに、ユーザは再ログインのための手間が不要となる。
【００４７】
ここで、認証チケットはユーザのパスワードやＩＤ番号等の認証情報ではなく、認証(決済)サーバがグループ内のメンバを個別に識別するための識別子であることに注意すべきである。プロキシサーバ運営者側でこの認証チケットを決済における認証情報として使うことはできない。したがって、ユーザの認証情報自体が認証サーバ以外に流通することはない。
【００４８】
続いて、端末ＡおよびＢとグルーピングプロキシサーバ３０との間でチャットセッションが確立され（ステップＳ４０５）、ユーザ端末ＡおよびＢでは共通のＷｅｂブラウザを見ることができるようになり、カーソル操作も自由にできるようになる。
【００４９】
この状態で、第１実施例で説明したように目的のサイトが指定されると、グルーピングプロキシサーバ３０は、当該指定サイトへアクセスし、認証チケットＡおよびＢを送信する。指定サイトは、認証チケットＡおよびＢによりユーザ端末ＡおよびＢを個別に識別することができ、認証（決済）サーバとの間でグループメンバの認証および各メンバの識別を行うことができる。したがって、ユーザから見れば再度ログインの手間を省略することができる。指定サイトからはＷｅｂ画面がグルーピングプロキシサーバ３０へ送信され、ユーザ端末ＡおよびＢには、移動先のサイトのＷｅｂ画面が共通に表示される（ステップＳ４０６）。
【００５０】
ただし、移動した指定サイト用の認証チケットがなければ、該当するＷｅｂサイトのルールにもよるが、そのユーザは閲覧できないか、または、決済を除いては自由に閲覧可能かのどちらかの扱いとなる場合がある。
【００５１】
（決済）
図１０は、本発明の第２実施例による電子ショッピングシステムにおける決済からグループ解除までのシーケンス図である。第１実施例の図８で説明したように、ユーザＡおよびＢは目的のショッピングサイトで購入商品を選択すると、２人の間でどちらがどれだけの金額を負担するかを決定するために決済サイトへ移動する（ステップＳ５０１）。
【００５２】
そして、決済においては、第１実施例で述べたように、合計支払い金額に対して、グループメンバの誰か一人が全額負担とする、とか、ここでは二人のメンバが５割ずつ俯瞰するとかの割合を決めて必要な情報を入力する。その際、各ユーザが承認のパスワードを入力するために、各ユーザ端末と認証（決済）サーバとの間に暗号化セッションを確立し、ユーザ端末ＡおよびＢの各々に対して個人認証および購買確認を行い、それぞれのユーザの認証を行う（ステップＳ５０２）。第２実施例の場合では、プロキシサーバ３０が保持していた認証チケットＡおよびＢにより、認証サーバは個別にユーザ端末を識別できる。これにより、個別の認証を行うことができ、一方のユーザが決済内容を勝手に決めてしまうといった事故を防ぐことができる。
【００５３】
こうして決済が完了すると、ユーザ端末からのグループ解放要求に応じて、グルーピングプロキシサーバ３０はグループメンバ全員の合意を確認後、グループ化を解除する（ステップＳ５０３）。
【００５４】
（効果）
上述したように、本発明の第２実施例によれば、認証サーバとユーザ端末とで個別の認証が行われ、正常認証完了を示す印として認証チケットが発行される。この認証チケットを使うことで、グルーピングプロキシサーバが介在することなくユーザの認証情報を獲得することができ、セキュリティが高めることができる。
【産業上の利用可能性】
【００５５】
本発明は電子商取引一般に利用可能であり、特にグループで認証を必要とする電子ショッピングや電子商取引のシステムに有効である。
【図面の簡単な説明】
【００５６】
【図１】本発明の一実施形態による電子ショッピングシステムの全体的構成を示すブロック図である。
【図２】（Ａ）〜（Ｄ）は本実施形態による電子ショッピングシステムの各構成要素が備える基本的機能を示す模式図である。
【図３】図３は決済サーバが管理するユーザ情報データベースの内容の一例を示す模式図である。
【図４】本発明の第１実施例による電子ショッピングシステムの待ち合わせサイトでの各端末上の表示例を示す図である。
【図５】グループ作成後に各端末に表示される画面の一例を示す図である。
【図６】目的サイトにログイン後に各端末に表示される画面の一例を示す図である。
【図７】決済サイトに移動した後に各端末に表示される画面の一例を示す図である。
【図８】ユーザ認証後に各端末に表示される画面の一例を示す図である。
【図９】本発明の第２実施例による電子ショッピングシステムにおけるショッピングサイトへのログイン完了までのシーケンス図である。
【図１０】本発明の第２実施例による電子ショッピングシステムにおける決済からグループ解除までのシーケンス図である。
【符号の説明】
【００５７】
１０  サイト運営事業者
１１  ネットショッピングサーバ
１２  決済サーバ
２０  サイト運営事業者
２１  ネットショッピングサーバ
２２  決済サーバ
３０  グルーピングプロキシサーバ
４０  インターネット
Ｔ1，Ｔ2，Ｔ3  ユーザ端末
【図１】
2006171829.tif 000003
【図２】
2006171829.tif 000004
【図３】
2006171829.tif 000005
【図４】
2006171829.tif 000006
【図５】
2006171829.tif 000007
【図６】
2006171829.tif 000008
【図７】
2006171829.tif 000009
【図８】
2006171829.tif 000010
【図９】
2006171829.tif 000011
【図１０】
2006171829.tif 000012